(57)【要約】【課題】低コストで導入することができ、狭いスペースにおいても簡単に配置することができ、迅速かつ簡単に視力検査の検査データをコンピュータに入力可能なシステムを提供する。【解決手段】視力検査の検査データを視力検査データベースに入力するためのシステムであって、選択され得る一群の検査データのそれぞれを表すバーコード群が一覧表形式で印刷された複数のシート１ａ〜1ｃと、複数のシートのそれぞれに印刷されたバーコードの一覧表から該当するバーコードを選択して読み取るための複数のバーコードリーダー２ａ〜2ｃと、複数のバーコードリーダーのそれぞれから出力されたデータを受信し、それに基づいて対応する検査データを視力検査データベースに登録する少なくとも１台のコンピュータ３と、複数のバーコードリーダーから出力されたデータに対応する検査データを表示する少なくとも１台のディスプレイ４を備える。【選択図】図１
2008000440.tif 000002
【特許請求の範囲】
【請求項１】
視力検査の検査データを視力検査データベースに入力するためのシステムであって、
選択され得る一群の検査データのそれぞれを表すバーコード群が一覧表形式で印刷された複数のシートと、
前記複数のシートのそれぞれに印刷されたバーコードの一覧表から該当するバーコードを選択して読み取るための複数のバーコードリーダーと、
前記複数のバーコードリーダーのそれぞれから出力されたデータを受信し、それに基づいて対応する検査データを視力検査データベースに登録する少なくとも１台のコンピュータと、
前記複数のバーコードリーダーから出力されたデータに対応する検査データを表示する少なくとも１台のディスプレイと、を備えていることを特徴とする視力検査データ入力システム。
【請求項２】
単一の前記コンピュータを備えており、さらに、
前記複数のバーコードリーダーは、それぞれ、互いを識別するためのバーコードリーダー識別情報を有し、各バーコードリーダーは、バーコードの読み取り時にそれから出力されるバーコードのデータに前記バーコードリーダー識別情報を付加するようになっており、前記コンピュータは、前記バーコードリーダー毎に独立の第１バッファーメモリを備え、該コンピュータは、前記バーコードリーダーから受信した検査データを、それに付加されたバーコードリーダー識別情報に従って、対応する前記第１バッファーメモリに一時記憶するようになっており、さらに、
前記バーコードの一覧表には、データ確定コマンドを表すバーコードが印刷されていて、前記コンピュータは、前記データ確定コマンドを受信したとき、それに付加されたバーコードリーダー識別情報に従って、対応する前記第１バッファーメモリに一時記憶されている検査データを前記視力検査データベースに登録するようになっていることを特徴とする請求項１に記載の視力検査データ入力システム。
【請求項３】
単一の前記ディスプレイを備えており、さらに、
前記ディスプレイには、前記バーコードリーダー毎に独立の入力データ表示領域が設けられていて、各バーコードリーダーから出力されたデータに対応する検査データが、それに付加されたバーコードリーダー識別情報に従って、対応する前記入力データ表示領域に表示されるようになっていることを特徴とする請求項２に記載の視力検査データ入力システム。
【請求項４】
前記コンピュータは、前記バーコードリーダー以外のデータ入力手段によって入力された患者ＩＤデータを一時記憶する第２バッファーメモリを備え、前記バーコードの一覧表には、患者ＩＤ確定コマンドを表すバーコードが印刷され、前記コンピュータは、前記バーコードリーダーから前記患者ＩＤ確定コマンドを受信したとき、それに付加されたバーコードリーダー識別情報に従って、前記第２バッファーメモリに一時記憶されている患者ＩＤデータを、対応する前記第１バッファーメモリに転送するようになっていることを特徴とする請求項２または請求項３に記載の視力検査データ入力システム。
【請求項５】
前記ディスプレイには、さらに、前記コンピュータの前記第２バッファーメモリに前記患者ＩＤデータが一時記憶されるときに、その患者ＩＤデータを表示する第２の入力データ表示領域が設けられていることを特徴とする請求項４に記載の視力検査データ入力システム。
【請求項６】
単一の前記コンピュータを備えており、さらに、
前記バーコードの一覧表に印刷されたバーコードはすべて、その一覧表が属するシートを互いに識別するためのシート識別情報を含み、前記コンピュータは、前記シート毎に独立の第１バッファーメモリを備え、該コンピュータは、前記バーコードリーダーから受信した検査データを、それに含まれたシート識別情報に従って、対応する前記第１バッファーメモリに一時記憶するようになっており、さらに、
前記バーコードの一覧表には、データ確定コマンドを表すバーコードが印刷されていて、前記コンピュータは、前記データ確定コマンドを受信したとき、それに含まれたシート識別情報に従って、対応する前記第１バッファーメモリに一時記憶されている検査データを前記視力検査データベースに登録するようになっていることを特徴とする請求項１に記載の視力検査データ入力システム。
【請求項７】
単一の前記ディスプレイを備えており、さらに、
前記ディスプレイには、前記シート毎に独立の入力データ表示領域が設けられていて、各バーコードリーダーから出力された検査データが、それに含まれたシート識別情報に従って、対応する前記入力データ表示領域に表示されるようになっていることを特徴とする請求項６に記載の視力検査データ入力システム。
【請求項８】
前記コンピュータは、前記バーコードリーダーまたはその他のデータ入力手段によって入力された患者ＩＤデータを一時記憶する第２バッファーメモリを備え、前記バーコードの一覧表には、患者ＩＤ確定コマンドを表すバーコードが印刷され、前記コンピュータは、前記バーコードリーダーから前記患者ＩＤ確定コマンドを受信したとき、それに含まれたシート識別情報に従って、前記第２バッファーメモリに一時記憶されている患者ＩＤデータを、対応する前記第１バッファーメモリに転送するようになっていることを特徴とする請求項６または請求項７に記載の視力検査データ入力システム。
【請求項９】
前記ディスプレイには、さらに、前記コンピュータの前記第２バッファーメモリに前記患者ＩＤデータが一時記憶されるときに、その患者ＩＤデータを表示する第２の入力データ表示領域が設けられていることを特徴とする請求項８に記載の視力検査データ入力システム。
【請求項１０】
前記バーコードの一覧表は、検査項目毎に設けられた枠を有し、各枠には、対応する検査項目名と、それに対応する検査値バーコードの組が印刷されており、前記検査値バーコードの組の各検査値バーコードは、少なくとも、当該検査項目名とその検査項目に関して選択可能な検査値を表していることを特徴とする請求項１〜請求項９のいずれかに記載の視力検査データ入力システム。
【請求項１１】
前記検査項目名は、裸眼視力、矯正視力、および該矯正視力を得るための眼鏡レンズに関する矯正球面度数、矯正円柱面度数並びに円柱面軸角度からなっていることを特徴とする請求項１０に記載の視力検査データ入力システム。
【請求項１２】
前記検査項目名は、裸眼視力、矯正視力、および該矯正視力を得るためのコンタクトレンズに関するベースカーブ、パワー、直径並びに球面補正度数からなっていることを特徴とする請求項１０に記載の視力検査データ入力システム。
【請求項１３】
前記バーコードの一覧表には、前記検査データが左右眼のいずれに属するかを特定する左右眼選択情報を表す左右眼選択バーコードが印刷されており、前記コンピュータは、前記左右眼選択情報を受信したとき、それ以降に前記バーコードリーダーから受信した検査データを、該左右眼選択情報によって特定されたいずれか一方の眼に関するものとして、対応する前記第１バッファーメモリに一時記憶するようになっていることを特徴とする請求項２〜請求項１２のいずれかに記載の視力検査データ入力システム。
【請求項１４】
前記ディスプレイは、前記コンピュータまたは前記バーコードリーダーに備えられ、または、それらとは独立に配置されていることを特徴とする請求項１〜請求項１３のいずれかに記載の視力検査データ入力システム。
【請求項１５】
前記バーコードリーダーは無線通信方式のバーコードリーダーからなっていることを特徴とする請求項１〜請求項１４のいずれかに記載の視力検査データ入力システム。
【発明の詳細な説明】
【技術分野】
【０００１】
本発明は、視力検査の検査データを視力検査データベースに入力するためのシステムに関するものである。
【背景技術】
【０００２】
近年、眼科分野においては、電子カルテシステムが導入されつつある（非特許文献１参照）。従来の電子カルテシステムにおいては、データ入力用のコンピュータのモニター画面にテンプレートが表示され、テンプレート中に予め設定された入力欄に、キーボードやマウス等の入力装置を通じて該当するデータが入力されるようになっている。
【０００３】
しかし、この入力方式では、モニター画面という限られた面積の領域に多数の入力欄を配列する必要があるので、隣接する入力欄の間に十分な間隔をとることが難しい。そのため、各入力欄を目で識別することが容易ではなく、しかも、マウスやキーボードを用いなければならないので、検査と同時にデータを入力しようとする場合に、データ入力作業が面倒であるという問題があった。また、この場合、テンプレートを変更するには、多大のコストと手間がかかるという問題もあった。
【０００４】
また、このシステムによれば、入力すべきデータが発生する場所毎にデータ入力用のコンピュータが必要になり、システムの設置にコストがかかるという問題があった。また、例えば、眼科の視力検査室においては、スペースの利用効率を上げるため、検査室内に、視力検査表および患者の矯正視力等を測定するための検査ユニットの組が複数組、必要最小限の間隔をあけて配置されている。この場合、データ入力用コンピュータの設置のために、隣接する検査ユニット間のスペースを利用しなければならないが、これでは十分なスペースが確保できず、配線も容易ではないという問題があった。
【０００５】
【非特許文献１】http://www.nichigan.or.jp/member/guideline/
【発明の開示】
【発明が解決しようとする課題】
【０００６】
したがって、本発明の課題は、低コストで導入することができ、狭いスペースにおいても簡単に配置することができ、迅速かつ簡単に視力検査の検査データをコンピュータに入力可能なシステムを提供することにある。
【課題を解決するための手段】
【０００７】
上記課題を解決するため、本発明は、視力検査の検査データを視力検査データベースに入力するためのシステムであって、選択され得る一群の検査データのそれぞれを表すバーコード群が一覧表形式で印刷された複数のシートと、前記複数のシートのそれぞれに印刷されたバーコードの一覧表から該当するバーコードを選択して読み取るための複数のバーコードリーダーと、前記複数のバーコードリーダーのそれぞれから出力されたデータを受信し、それに基づいて対応する検査データを視力検査データベースに登録する少なくとも１台のコンピュータと、前記複数のバーコードリーダーから出力されたデータに対応する検査データを表示する少なくとも１台のディスプレイと、を備えていることを特徴とする視力検査データ入力システムを構成したものである。
【０００８】
本発明の好ましい実施例によれば、前記視力検査データ入力システムは、単一の前記コンピュータを備えており、さらに、前記複数のバーコードリーダーは、それぞれ、互いを識別するためのバーコードリーダー識別情報を有し、各バーコードリーダーは、バーコードの読み取り時にそれから出力されるバーコードのデータに前記バーコードリーダー識別情報を付加するようになっており、前記コンピュータは、前記バーコードリーダー毎に独立の第１バッファーメモリを備え、該コンピュータは、前記バーコードリーダーから受信した検査データを、それに付加されたバーコードリーダー識別情報に従って、対応する前記第１バッファーメモリに一時記憶するようになっており、さらに、前記バーコードの一覧表には、データ確定コマンドを表すバーコードが印刷されていて、前記コンピュータは、前記データ確定コマンドを受信したとき、それに付加されたバーコードリーダー識別情報に従って、対応する前記第１バッファーメモリに一時記憶されている検査データを前記視力検査データベースに登録するようになっている。
【０００９】
この実施例において、さらに好ましくは、前記視力検査データ入力システムは、単一の前記ディスプレイを備えており、さらに、前記ディスプレイには、前記バーコードリーダー毎に独立の入力データ表示領域が設けられていて、各バーコードリーダーから出力されたデータに対応する検査データが、それに付加されたバーコードリーダー識別情報に従って、対応する前記入力データ表示領域に表示されるようになっている。
【００１０】
また、この実施例において、好ましくは、前記コンピュータは、前記バーコードリーダー以外のデータ入力手段によって入力された患者ＩＤデータを一時記憶する第２バッファーメモリを備え、前記バーコードの一覧表には、患者ＩＤ確定コマンドを表すバーコードが印刷され、前記コンピュータは、前記バーコードリーダーから前記患者ＩＤ確定コマンドを受信したとき、それに付加されたバーコードリーダー識別情報に従って、前記第２バッファーメモリに一時記憶されている患者ＩＤデータを、対応する前記第１バッファーメモリに転送するようになっており、さらに好ましくは、前記ディスプレイには、さらに、前記コンピュータの前記第２バッファーメモリに前記患者ＩＤデータが一時記憶されるときに、その患者ＩＤデータを表示する第２の入力データ表示領域が設けられている。
【００１１】
本発明の別の好ましい実施例によれば、前記視力検査データ入力システムは、単一の前記コンピュータを備えており、さらに、前記バーコードの一覧表に印刷されたバーコードはすべて、その一覧表が属するシートを互いに識別するためのシート識別情報を含み、前記コンピュータは、前記シート毎に独立の第１バッファーメモリを備え、該コンピュータは、前記バーコードリーダーから受信した検査データを、それに含まれたシート識別情報に従って、対応する前記第１バッファーメモリに一時記憶するようになっており、さらに、前記バーコードの一覧表には、データ確定コマンドを表すバーコードが印刷されていて、前記コンピュータは、前記データ確定コマンドを受信したとき、それに含まれたシート識別情報に従って、対応する前記第１バッファーメモリに一時記憶されている検査データを前記視力検査データベースに登録するようになっている。
【００１２】
この実施例において、さらに好ましくは、前記視力検査データ入力システムは、単一の前記ディスプレイを備えており、さらに、前記ディスプレイには、前記シート毎に独立の入力データ表示領域が設けられていて、各バーコードリーダーから出力された検査データが、それに含まれたシート識別情報に従って、対応する前記入力データ表示領域に表示されるようになっている。
【００１３】
また、この実施例において、好ましくは、前記コンピュータは、前記バーコードリーダーまたはその他のデータ入力手段によって入力された患者ＩＤデータを一時記憶する第２バッファーメモリを備え、前記バーコードの一覧表には、患者ＩＤ確定コマンドを表すバーコードが印刷され、前記コンピュータは、前記バーコードリーダーから前記患者ＩＤ確定コマンドを受信したとき、それに含まれたシート識別情報に従って、前記第２バッファーメモリに一時記憶されている患者ＩＤデータを、対応する前記第１バッファーメモリに転送するようになっており、さらに好ましくは、前記ディスプレイには、さらに、前記コンピュータの前記第２バッファーメモリに前記患者ＩＤデータが一時記憶されるときに、その患者ＩＤデータを表示する第２の入力データ表示領域が設けられている。
【００１４】
本発明のさらに別の好ましい実施例によれば、前記バーコードの一覧表は、検査項目毎に設けられた枠を有し、各枠には、対応する検査項目名と、それに対応する検査値バーコードの組が印刷されており、前記検査値バーコードの組の各検査値バーコードは、少なくとも、当該検査項目名とその検査項目に関して選択可能な検査値を表している。
この実施例において、さらに好ましくは、前記検査項目名は、裸眼視力、矯正視力、および該矯正視力を得るための眼鏡レンズに関する矯正球面度数、矯正円柱面度数並びに円柱面軸角度からなっており、あるいは、前記検査項目名は、裸眼視力、矯正視力、および該矯正視力を得るためのコンタクトレンズに関するベースカーブ、パワー、直径並びに球面補正度数からなっている。
【００１５】
本発明のさらに別の好ましい実施例によれば、前記バーコードの一覧表には、前記検査データが左右眼のいずれに属するかを特定する左右眼選択情報を表す左右眼選択バーコードが印刷されており、前記コンピュータは、前記左右眼選択情報を受信したとき、それ以降に前記バーコードリーダーから受信した検査データを、該左右眼選択情報によって特定されたいずれか一方の眼に関するものとして、対応する前記第１バッファーメモリに一時記憶するようになっている。
本発明のさらに別の好ましい実施例によれば、前記ディスプレイは、前記コンピュータまたは前記バーコードリーダーに備えられ、または、それらとは独立に配置されている。
本発明のさらに別の好ましい実施例によれば、前記バーコードリーダーは無線通信方式のバーコードリーダーからなっている。
【発明の効果】
【００１６】
本発明によれば、複数のシートおよび複数のバーコードリーダーを備え、各シートに視力検査の検査データをバーコードの一覧表の形式で印刷し、各シートに印刷されたバーコードの一覧表から該当するバーコードをバーコードリーダーによって読み取ることによって、検査データを視力検査データベースに登録するようにしたので、検査データの入力を非常に簡単に行うことができる。この場合、シートの表裏面という、面積に余裕のある領域にバーコードの一覧表が設けられるので、この一覧表のレイアウトを、従来のモニター画面上のテンプレートよりも視認性の優れたものにすることができる。さらには、シートにバーコードの一覧表を印刷するだけであるから、一覧表のレイアウトの変更を非常に容易にかつ低コストで行える。
【００１７】
また、本発明によれば、複数のシートおよび複数のバーコードリーダーの他に、コンピュータおよびディスプレイを少なくとも１台ずつ配置すればよく、システムを視力検査室のわずかなスペースに簡単に設置することができ、また、システム導入コストも従来のものより低くすることができる。
【発明を実施するための最良の形態】
【００１８】
以下、添付図面を参照して本発明の好ましい実施例について説明する。図１は、本発明の１実施例による視力検査データ入力システムの全体構成を示す図である。図１を参照して、本発明による視力検査データ入力システムは、眼科の視力検査室内に配置される。視力検査室には、視力検査表５ａ〜５ｃと、患者の矯正視力等を測定するための検査ユニット（図示はされない）の組が複数組、互いに間隔をあけて配置されている。
【００１９】
本発明によれば、選択され得る一群の検査データのそれぞれを表すバーコード群が一覧表形式で印刷された複数のシート１ａ〜１ｃと、それらのシート１ａ〜１ｃのそれぞれに印刷されたバーコードの一覧表から該当するバーコードを選択して読み取るための複数のバーコードリーダー２ａ〜２ｃが備えられる。この実施例では、シート１ａ〜１ｃおよびバーコードリーダー２ａ〜２ｃが、視力検査表および検査ユニットの組毎に、各１組備えられる。
バーコードリーダー２ａ〜２ｃは、それぞれ、互いを識別するためのバーコードリーダー識別情報を有し、各バーコードリーダー２ａ〜２ｃは、バーコードの読み取り時にそれから出力されるバーコードのデータにバーコードリーダー識別情報を付加するようになっている。
【００２０】
この実施例では、シート１ａ〜１ｃはいずれも同一の構成を有している。図２は、シートの平面図であり、（Ａ）はシート表面、（Ｂ）はシート裏面をそれぞれ示している。図２に示されるように、シートの表裏両面に、複数の枠から構成されたバーコードの一覧表が印刷されている。
【００２１】
図２（Ａ）を参照して、シート表面の最上段の左側の枠６ａには、患者ＩＤデータの登録を確定する操作を表す「患者ＩＤ入力」の文字８と、患者ＩＤ確定コマンドを表すバーコード９が印刷されている。次いで、最上段の右側の枠６ｂには、左側に、「左眼」の文字１０と左眼選択情報を表すバーコード１１が印刷され、右側に、「右眼」の文字１２と右眼選択情報を表すバーコード１３が印刷されている。
【００２２】
その下側の枠６ｃには、「裸眼視力」の検査項目名１４と、選択可能な検査値の数字１５とバーコード１６の組が印刷されている。各バーコード１６は、対応する検査値だけでなく検査項目名も表している。
その下側の枠６ｄには、「矯正視力」の検査項目名１７と、選択可能な検査値の数字１８とバーコード１９の組が印刷されている。各バーコード１９は、選択可能な検査値だけでなく検査項目名も表している。
【００２３】
さらにその下側の枠６ｅには、矯正視力を得るための眼鏡レンズに関する矯正球面度数の検査項目名を表す「（−）球面」の文字２２と、選択可能な検査値の数字２３とバーコード２４の組が印刷されている。各バーコード２４は、選択可能な検査値だけでなく検査項目名も表している。枠６ｅには、また、この検査項目について、一旦バーコードリーダーによって読み取られたデータを消去する操作を表す「クリア」の文字２５と、対応するデータクリアコマンドを表すバーコード２６とが印刷されている。
【００２４】
図２（Ｂ）を参照して、シート裏面の最上段の枠７ａには、矯正視力を得るための眼鏡レンズに関する矯正球面度数の検査項目名を表す「（＋）球面」の文字２７と、選択可能な検査値の数字２８とバーコード２９の組が印刷されている。各バーコード２９は、選択可能な検査値だけでなく検査項目名も表している。
【００２５】
その下側の枠７ｂには、矯正視力を得るための眼鏡レンズに関する矯正円柱面度数の検査項目名を表す「（−）シリンダー」の文字３２と、選択可能な検査値の数字３７とバーコード３８の組が印刷されている。各バーコード３８は、選択可能な検査値だけでなく検査項目名も表している。
【００２６】
その下側の枠７ｃには、矯正視力を得るための眼鏡レンズに関する円柱面軸角度の検査項目名を表す「軸角度（°）」の文字３９と、選択可能な検査値の数字４０とバーコード４１の組が印刷されている。各バーコード４１は、選択可能な検査値だけでなく検査項目名も表している。
【００２７】
そして、最下段の左側の枠７ｄには、それまでにバーコードリーダーによって読み取られた全てのデータを消去する操作を表す「全クリア」の文字４２と、対応する全データクリアコマンドを表すバーコード４３が印刷され、右側の枠７ｅには、それまでにバーコードリーダーによって読み取られた全てのデータの登録を確定する操作を表す「確定」の文字４４と、データ確定コマンドを表すバーコード４５が印刷されている。
【００２８】
再び図１を参照して、本発明によれば、また、少なくとも１台のコンピュータ３が備えられ、バーコードリーダー２ａ〜２ｃのそれぞれから出力されたデータを受信し、そのデータがコマンドに関するものであるときはそのコマンドを実行し、そのデータが検査データであるときはその値を後述する第１バッファーメモリに書き込むようになっている。この実施例では、各バーコードリーダー２a〜２ｃは、無線通信方式のバーコードリーダーからなっており、コンピュータ３は、それにＲＳ２３２Ｃで接続された無線通信ユニット３ａを通じて、バーコードリーダー２ａ〜２ｃと無線でデータ通信を行うようになっている。
【００２９】
コンピュータ３は、また、バーコードリーダー２ａ〜２ｃ毎に独立の第１バッファーメモリを備えていて、バーコードリーダー２ａ〜２ｃから受信した検査データを、それに付加されたバーコードリーダー識別情報に従って、対応する第１バッファーメモリに一時記憶するようになっている。コンピュータ３は、さらに、バーコードリーダー２ａ〜２ｃ以外のデータ入力手段、例えば、コンピュータ３に備えられたキーボード等の入力手段や、コンピュータに接続された磁気カードリーダー等の入力手段によって入力された患者ＩＤデータを一時記憶する第２バッファーメモリを備えている。
【００３０】
さらに、バーコードリーダー２ａ〜２ｃから出力された検査データを表示する少なくとも１台のディスプレイ４が備えられる。
ディスプレイ４は、コンピュータ３のモニターで代用してもよいし、また、バーコードリーダー２ａ〜２ｃに備えるようにしてもよいし、あるいは、この実施例のように、コンピュータ３およびバーコードリーダー２ａ〜２ｃとは独立に設けてもよい。
【００３１】
図３には、ディスプレイの表示画面が示してある。図３を参照して、ディスプレイ４には、バーコードリーダー２ａ〜２ｃ毎に独立の入力データ表示領域４６ａ〜４６ｃが、縦に並んで設けられている。そして、各バーコードリーダー２ａ〜２ｃから出力された検査データが、それに付加されたバーコードリーダー識別情報に従って、対応する入力データ表示領域４６ａ〜４６ｃに表示される。入力データ表示領域４６ａ〜４６ｃは、同じレイアウト構成を有している。
【００３２】
図３に示されるように、入力データ表示領域４６ａの最上段の左側には、「患者ＩＤ」の文字４７が表示され、その右隣に患者ＩＤデータ入力欄４８が設けられ、最上段の右側には、「氏名」の文字４９が表示され、その右隣に患者氏名入力欄５０が設けられる。
その下側の領域には、上段に、右眼に関するデータの入力領域と、下段に、左眼に関するデータの入力領域が設けられる。右眼に関するデータの入力領域には、最も左側に、「右眼」の文字５１ａが表示され、次に、裸眼視力を表す「裸」の文字５２が表示され、その右隣に裸眼視力検査値入力欄５３ａが設けられ、次に、矯正視力を表わす「矯」の文字５４が表示され、その右隣に矯正視力検査値入力欄５５ａが設けられ、さらにその右隣に矯正視力を得るための眼鏡レンズに関する矯正球面度数等の検査値入力欄５６ａが設けられる。また、左眼に関するデータの入力領域には、最も左側に、「左眼」の文字５１ｂが表示され、その右側に、裸眼視力検査値入力欄５３ｂ、矯正視力検査値入力欄５５ｂ、矯正視力を得るための眼鏡レンズに関する矯正球面度数等の検査値入力欄５６ｂが設けられる。図３から明らかなように、この検査値入力欄には、「Ｓ−１．００Ｃ−０．５０ＡＸ１８０」等、矯正球面度数、矯正円柱面度数並びに円柱面軸角度の各検査値が連続して表示される。
【００３３】
ディスプレイの表示画面における、最下段の入力データ表示領域４６ｃの下側には、コンピュータ３の第２バッファーメモリに患者ＩＤデータが一時記憶されたときに、その患者ＩＤを表示する第２の入力データ表示領域５７が設けられている。第２の入力データ表示領域５７には、「患者ＩＤ」の文字５８が表示され、その右隣に患者ＩＤデータ入力欄５９が設けられる。
【００３４】
次に、本発明の視力検査データ入力システムの動作について説明する。
まず、患者ＩＤデータの入力がなされる。このデータの入力は、例えば、各バーコードリーダー２ａ〜２ｃを用いて、患者のカルテに印刷されたバーコードを読み取ることによって、あるいは、コンピュータ３に接続された磁気カードリーダーを用いて、患者の診察券に記録されたデータを読み取ることによって、あるいは、コンピュータ３のキーボードを用いて、直接手入力することによってなされる。
【００３５】
患者ＩＤデータが各バーコードリーダー２ａ〜２ｃによって入力されたときは、それがシートのバーコード一覧表に印刷されたバーコードとは異なることが判定された後、それらのデータは、それに付加されたバーコードリーダー識別情報に従って、コンピュータ３の対応する第１バッファーメモリに一時記憶され、それと同時に、ディスプレイ４の対応する入力データ表示領域４６ａ〜４６ｃの患者ＩＤデータ入力欄４８に表示される。
この場合、患者ＩＤデータを表示するバーコードと、シートのバーコード一覧表のバーコードとを識別するため、シートのバーコード一覧表のバーコードには、患者ＩＤのバーコードに使用される可能性がほとんど無い形式のバーコード、例えば、４桁の数字の列の先頭と末尾に文字「D」を付加したNW７コード（例えば、Ｄ１００１Ｄ）が用いられる。その他、シートのバーコード一覧表のバーコードの先頭に特殊な文字を付加するようにしてもよい。
【００３６】
一方、患者ＩＤデータが、各バーコードリーダー２ａ〜２ｃ以外のデータ入力手段によって入力されたときは、そのデータは、コンピュータ３の第２バッファーメモリに一時記憶されると同時に、ディスプレイ４の第２の入力データ表示領域５７の患者ＩＤデータ入力欄５９に表示される。そして、シート１ａ〜１ｃの「患者ＩＤ入力」欄のバーコード９が対応するバーコードリーダー２ａ〜２ｃによって読み取られ、患者ＩＤ確定コマンドを含むデータがコンピュータ３に出力される。
【００３７】
コンピュータ３が患者ＩＤ確定コマンドを受信すると、コンピュータ３は、それに付加されたバーコードリーダー識別情報に従って、第２バッファーメモリに一時記憶していた患者ＩＤデータを対応する第１バッファーメモリに転送すると同時に、ディスプレイ４の表示画面上では、該患者ＩDデータが、第２の入力データ表示領域５７の患者ＩDデータ入力欄５９から対応する第１の入力データ表示領域４６ａ〜４６ｃの患者ＩDデータ入力欄４８に切替え表示される。
【００３８】
次に、患者氏名データが、バーコードリーダー２ａ〜２ｃ以外の適当なデータ入力手段によって、ディスプレイ４の対応する第１の入力データ表示領域４６ａ〜４６ｃの患者氏名入力欄５０に入力されると同時に、コンピュータ３の対応する第１バッファーメモリに一時記憶される。
【００３９】
次に、シート１ａ〜１ｃの「左眼」欄のバーコード１１または「右眼」欄のバーコード１３がバーコードリーダー２ａ〜２ｃによって読み取られ、左眼選択情報を含むデータまたは右眼選択情報を含むデータがコンピュータ３に出力される。コンピュータ３は、左眼選択情報または右眼選択情報を受信すると、それに付加されたバーコードリーダー識別情報によって特定されたバーコードリーダー２ａ〜２ｃからそれ以降に受信するデータを、当該選択情報によって特定されたいずれか一方の眼に関するものとして、対応する第１バッファーメモリに一時記憶する。それと同時に、それらのデータは、ディスプレイ４の対応する第１のデータ表示領域４６ａ〜４６ｃのデータ入力欄に表示される。
【００４０】
そして、右眼または左眼に関する視力検査が実行される。
裸眼視力が測定されたとき、シート１ａ〜1ｃの「裸眼視力」検査項目欄１４における、その検査値に対応する数字１５のバーコード１６がバーコードリーダー２ａ〜2ｃによって読み取られ、その検査値データがコンピュータ３およびディスプレイ４に出力される。コンピュータ３は、受信した検査データを、それに付加されたバーコードリーダー識別情報に従って、対応する第１バッファーメモリに一時記憶し、ディスプレイ４は、受信した検査値データを、該バーコードリーダー識別情報に従って、対応するデータ入力領域の裸眼視力検査値入力欄５３ａ、５３ｂに表示する。
【００４１】
矯正視力が測定されたとき、シート１ａ〜1ｃの「矯正視力」検査項目欄１７におけるその検査値に対応する数字１８のバーコード１９がバーコードリーダー２ａ〜2ｃによって読み取られ、その検査値データがコンピュータ３およびディスプレイ４に出力される。コンピュータ３は、受信した検査値データを、それに付加されたバーコードリーダー識別情報に従って、対応する第１バッファーメモリに一時記憶し、ディスプレイ４は、受信した検査値データを、該バーコードリーダー識別情報に従って、対応するデータ入力領域の矯正視力検査値入力欄５５ａ、５５ｂに表示する。
【００４２】
さらに、矯正球面度数が測定されたとき、「（−）球面」検査項目欄２２におけるその検査値に対応するバーコード２４がバーコードリーダー２ａ〜2ｃによって読み取られ、その検査値データがコンピュータ３およびディスプレイ４に出力される。コンピュータ３は、受信した検査値データを、それに付加されたバーコードリーダー識別情報に従って、対応する第１バッファーメモリに一時記憶し、ディスプレイ４は、受信した検査値データを、該バーコードリーダー識別情報に従って、対応するデータ入力領域の矯正球面度数等の検査値入力欄５６ａ、５６ｂに表示する。
【００４３】
また、「（＋）球面」欄２７におけるその検査値に対応するバーコード２９が、バーコードリーダー２ａ〜2ｃによって読み取られ、その検査値データがコンピュータ３およびディスプレイ４に出力される。コンピュータ３は、受信した検査値データを、それに付加されたバーコードリーダー識別情報に従って、対応する第１バッファーメモリに一時記憶し、ディスプレイ４は、受信した検査値データを、該バーコードリーダー識別情報に従って、対応するデータ入力領域の矯正球面度数等の検査値入力欄５６ａ、５６ｂに表示する。
【００４４】
矯正円柱面度数が測定されたとき、「（−）シリンダー」検査項目欄３２におけるその検査値に対応するバーコード３８が、バーコードリーダー２ａ〜2ｃによって読み取られ、その検査値データがコンピュータ３およびディスプレイ４に出力される。コンピュータ３は、受信した検査値データを、それに付加されたバーコードリーダー識別情報に従って、対応する第１バッファーメモリに一時記憶し、ディスプレイ４は、受信した検査値データを、該バーコードリーダー識別情報に従って、対応するデータ入力領域４６ａ〜４６ｃの矯正球面度数等の検査値入力欄５６ａ、５６ｂに表示する。
【００４５】
円柱面軸角度が測定されたとき、「軸角度（°）」検査項目欄３９におけるその検査値に対応するバーコード４１が、バーコードリーダー２ａ〜２ｃによって読み取られ、その検査値データがコンピュータ３およびディスプレイ４に出力される。コンピュータ３は、受信した検査値データを、それに付加されたバーコードリーダー識別情報に従って、対応する第１バッファーメモリに一時記憶し、ディスプレイ４は、受信した検査値データを該バーコードリーダー識別情報に従って、対応するデータ入力領域４６ａ〜４６ｃの矯正球面度数等の検査値入力欄５６ａ、５６ｂに表示する。
【００４６】
なお、「矯正球面度数」２２、２７および「矯正円柱面度数」３２の検査値データの入力に際し、それぞれ、同じバーコードリーダー２ａ〜２ｃによって、２回以上連続して検査値のバーコードが読み取られた場合には、読み取られた検査値が自動的に加算されて、コンピュータ３の対応する第１バッファーメモリに一時記憶され、また、ディスプレイ４の対応するデータ入力領域の検査値入力欄に表示される。
【００４７】
また、検査値データの入力に際し、「左右眼選択情報」１０、１２、および「裸眼視力」１４、および「矯正視力」１７、および「円柱面軸角度」３９の各項目について、一旦読み取ったデータの入力を取り消す場合には、新たに入力すべきデータに対応するバーコードが同じバーコードリーダー２ａ〜２ｃによって読み取られ、取り消すべきデータに上書き入力される。「矯正球面度数」２２、２７および「矯正円柱面度数」３２の各項目について、一旦読み取ったデータの入力を取り消す場合には、各項目毎に設けられた「クリア」のバーコード２６、３１、３４が、前と同じバーコードリーダー２ａ〜２ｃによって読み取られる。
【００４８】
各検査項目の検査値データの入力が完了したとき、「確定」のバーコード４５が、バーコードリーダー２ａ〜２ｃによって読み取られ、データ確定コマンドを含むデータがコンピュータ３に出力される。コンピュータ３は、データ確定コマンドを受信したとき、それに付加されたバーコードリーダー識別情報に従って、対応する第１バッファーメモリに一時記憶されている検査値データを視力検査データベースに登録する。また、登録時に、ディスプレイ４の画面上の対応するデータ入力領域４６ａ〜４６ｃに表示されていた全てのデータが消去される。
このとき、一旦バーコードリーダー２ａ〜２ｃによって読み取られたデータを全て取り消す倍には、「全クリア」のバーコード４３が、前と同じバーコードリーダー２ａ〜２ｃによって読み取られ、データクリアコマンドを含むデータがコンピュータ３およびディスプレイ４に出力される。コンピュータ３は、全データクリアコマンドに付加されたバーコードリーダー識別情報に従って、対応する第１バッファーメモリに一時記憶した全てのデータを消去し、ディスプレイ４は、全データクリアコマンドに付加されたバーコードリーダー識別情報に従って、対応するデータ入力領域４６ａ〜４６ｃに表示された全てのデータを消去する。
【００４９】
この実施例では、バーコードリーダーのそれぞれに識別情報を付与し、患者毎にデータを読み取るバーコードリーダーを決めて検査データを入力することで、複数の患者に対する視力検査が同時に並行してなされる場合にも、単一のコンピュータおよびディスプレイを使用して検査データの入力作業を行うことができる。この場合、全検査項目を通じて同一のシートを使用してもよいし、検査項目毎に異なるシートを使用してもよい。
【００５０】
以上、本発明の好ましい１実施例について説明してきたが、本発明の構成は上述の実施例に限定されるものではない。例えば、上述の実施例では、検査項目名が、裸眼視力、矯正視力、および該矯正視力を得るための眼鏡レンズに関する矯正球面度数、矯正円柱面度数並びに円柱面軸角度からなっているが、それらの代わりに、検査項目名を、裸眼視力、矯正視力、および該矯正視力を得るためのコンタクトレンズに関するベースカーブ、パワー、直径並びに球面補正度数としてもよい。
【００５１】
また、上述の実施例では、バーコードリーダーのそれぞれに識別情報を付与し、患者毎にデータを読み取るバーコードリーダーを決めて検査データを入力する構成としているが、バーコードリーダーの代わりに、シート毎に識別可能としておき、患者毎にシートを決めて検査データを入力するようにしてもよい。この場合には、全検査項目を通じて同一のバーコードリーダーを使用してもよいし、検査項目毎に異なるバーコードリーダーを使用してもよい。
【００５２】
この実施例では、シートのバーコード一覧表に印刷されたバーコードはすべて、その一覧表が属するシートを互いに識別するためのシート識別情報を含み、コンピュータは、シート毎に独立の第１バッファーメモリを備え、該コンピュータは、バーコードリーダーから受信した検査データを、それに含まれたシート識別情報に従って、対応する第１バッファーメモリに一時記憶するようになっている。さらに、バーコードの一覧表には、データ確定コマンドを表すバーコードが印刷されていて、コンピュータは、データ確定コマンドを受信したとき、それに含まれたシート識別情報に従って、対応する第１バッファーメモリに一時記憶されている検査データを視力検査データベースに登録するようになっている。
【００５３】
また、ディスプレイには、シート毎に独立の入力データ表示領域が設けられていて、各バーコードリーダーから出力された検査データが、それに含まれたシート識別情報に従って、対応する入力データ表示領域に表示される。
【００５４】
また、コンピュータは、バーコードリーダーまたはその他のデータ入力手段によって入力された患者ＩＤデータを一時記憶する第２バッファーメモリを備え、バーコードの一覧表には、患者ＩＤ確定コマンドを表すバーコードが印刷されている。そして、コンピュータは、バーコードリーダーから患者ＩＤ確定コマンドを受信したとき、それに含まれたシート識別情報に従って、第２バッファーメモリに一時記憶されている患者ＩＤデータを、対応する第１バッファーメモリに転送するようになっており、ディスプレイには、コンピュータの第２バッファーメモリに患者ＩＤデータが一時記憶されるときに、その患者ＩＤデータを表示する第２の入力データ表示領域が設けられる。
【図面の簡単な説明】
【００５５】
【図１】本発明の１実施例による視力検査データ入力システムの全体構成を示す図である。
【図２】図１の視力検査データ入力システムのシートの平面図であり、（Ａ）はシート表面、（Ｂ）はシート裏面をそれぞれ示している。
【図３】図１の視力検査データ入力システムのディスプレイ画面のレイアウトを示す図である。
【符号の説明】
【００５６】
１ａ〜1ｃ  シート
２ａ〜2ｃ  バーコードリーダー
３  コンピュータ
３ａ 無線通信ユニット
４  ディスプレイ
５ａ〜5ｃ  視力検査表
【図１】
2008000440.tif 000003
【図２】
2008000440.tif 000004
【図３】
2008000440.tif 000005